(57)【特許請求の範囲】
【請求項１】
第一焦点と、当該第一焦点に配置された光源部からの光を反射させることにより光が集束する第二焦点とが規定される楕円面反射鏡と、
光源部からの光を反射させることにより光が光源部に戻る第三焦点が規定される球面反射鏡と、
無偏光光を出射する光源部とを備え、
前記第一焦点と前記第三焦点と前記光源部とが同一の位置となるように配置される光源装置であって、
前記第二焦点に集束する光束を平行光束に変換する光学レンズを備えず、
さらに、一方向の直線偏光光を透過させるとともに、前記直線偏光光と直交する光を反射光として楕円面反射鏡の第一焦点に集まるように反射させる反射型偏光素子と、
１／４波長板とを備え、
前記楕円面反射鏡と反射型偏光素子との間に、前記１／４波長板は配置されることを特徴とする光源装置。
【請求項２】
前記反射型偏光素子の反射面は、光を、入射方向と逆方向になるように反射させる球面であることを特徴とする請求項１に記載の光源装置。
【請求項３】
前記光源部は、高圧水銀ランプ、メタルハライドランプ、又は、キセノンランプであることを特徴とする請求項１又は請求項２に記載の光源装置。
【請求項４】
前記楕円面反射鏡は、反射層と、吸収層と、基体とをこの順に有し、
前記反射層は、酸化ケイ素層と酸化チタン層との積層構造であるとともに、
前記吸収層は、クロム層又は酸化クロム層であり、かつ、
前記基体は、アルミニウム又は銅で形成されることを特徴とする請求項１〜請求項３のいずれか１項に記載の光源装置。
【発明の詳細な説明】
【技術分野】
【０００１】
本発明は、反射鏡による反射光を利用することにより効率的な照明を行う光源装置に関する。本発明の光源装置は、例えば、画像投影等のプロジェクターの光源として、適用される。
【背景技術】
【０００２】
現在、大画面で映像を映す電子機器として、投写型表示装置が知られている。投写型表示装置は、光源により、液晶パネルやＤＭＤ（ディジタルミラーデバイス）といった二次元光変調器に生成した画像をスクリーン上に拡大投写するものである。このような光源としては、高圧水銀ランプやメタルハライドランプやキセノンランプ等の高輝度の放電ランプが使用されている。
【０００３】
しかしながら、二次元光変調器が液晶パネルであるときに、これらの放電ランプを光源として使用した場合、放電ランプから出射する光が無偏光光であるため、所定の直線偏光光以外の光は画像表示に利用できずに損失となるので、光の利用効率が悪かった。
【０００４】
そこで、偏光の種類を統一したうえで照明光として利用する投写型表示装置がある（例えば、特許文献１参照）。このような投写型表示装置では、例えば、一方向の直線偏光光を透過させるとともに、その直線偏光光と直交する光を反射光として反射させる偏光ビームスプリッタと、１／２波長板とを用いた光源装置が一般的に使用される。このような光源装置によれば、偏光ビームスプリッタに反射された反射光は、１／２波長板を透過することにより、一方向の直線偏光光に変換されていた。
【特許文献１】特開２００２−２４４２１２号公報
【発明の開示】
【発明が解決しようとする課題】
【０００５】
しかしながら、偏光ビームスプリッタは、接合面に誘電体多層膜が形成された２つのプリズムが多数格子状に接合された基板状のものであり、高度な接合技術を要する光学素子であった。そのため、上述したような光源装置は、高価なものとなった。
【０００６】
そこで、本発明は、容易に製造でき、かつ、無偏光光を効率よく利用することができる光源装置を提供することを目的とする。
【課題を解決するための手段】
【０００７】
上記課題を解決するためになされた本発明の光源装置は、第一焦点と、当該第一焦点に配置された光源部からの光を反射させることにより光が集束する第二焦点とが規定される楕円面反射鏡と、光源部からの光を反射させることにより光が光源部に戻る第三焦点が規定される球面反射鏡と、無偏光光を出射する光源部とを備え、前記第一焦点と前記第三焦点と前記光源部とが同一の位置となるように配置される光源装置であって、前記第二焦点に集束する光束を平行光束に変換する光学レンズを備えず、さらに、一方向の直線偏光光を透過させるとともに、前記直線偏光光と直交する光を反射光として楕円面反射鏡の第一焦点に集まるように反射させる反射型偏光素子と、１／４波長板とを備え、前記楕円面反射鏡と反射型偏光素子との間に、前記１／４波長板は配置されるようにしている。
【発明の効果】
【０００８】
本発明の光源装置によれば、光源部から出射された無偏光光は、楕円面反射鏡で反射されることにより、第二焦点に集束するようになる。このときに、無偏光光は、反射型偏光素子に入射することにより、無偏光光のうちの一方向の直線偏光光は、反射型偏光素子を透過し、一方、その直線偏光光と直交する光は、反射型偏光素子で反射光として反射する。さらに、反射光は、１／４波長板、楕円面反射鏡、球面反射鏡、楕円面反射鏡、１／４波長板と順に経由することにより、再び反射型偏光素子に入射する。このとき、反射光は、１／４波長板を２度透過することにより、一方向の直線偏光光と直行する光から一方向の直線偏光光に変化するので、今度は反射型偏光素子を透過する。よって、無偏光光の全てを一方向の直線偏光光と統一するため、無偏光光の全てを利用することができる。しかも、偏光ビームスプリッタのような高度な接合技術を要する光学素子も用いていない。
【０００９】
（他の課題を解決するための手段および効果）
また、上記の発明において、高圧水銀ランプ、メタルハライドランプ、又は、キセノンランプであるようにしてもよい。
本発明の光源装置によれば、高圧水銀ランプ、メタルハライドランプ、又は、キセノンランプから出射する無偏光光を用いるため、高輝度な無偏光光を効率よく利用することができる。
【００１０】
また、上記の発明において、前記楕円面反射鏡は、反射層と、吸収層と、基体とをこの順に有し、前記反射層は、酸化ケイ素層と酸化チタン層との積層構造であるとともに、前記吸収層は、クロム層又は酸化クロム層であり、かつ、前記基体は、アルミニウム又は銅で形成されるようにしてもよい。
本発明の光源装置によれば、反射層で紫外領域の光を吸収するとともに、可視光領域の光を反射することができる。また、吸収層で赤外領域の光を吸収することができ、かつ、吸収層で発生した熱を基体に伝導させることにより、放熱することができる。よって、高圧水銀ランプ、メタルハライドランプ、又は、キセノンランプから出射する無偏光光は、赤外領域の光や紫外領域の光を含むが、楕円面反射鏡が反射層と吸収層と基体とを有するため、反射型偏光素子へのダメージ等の問題を防止することができる。
【００１１】
そして、上記の発明において、前記反射型偏光素子の反射面は、光を、入射方向と逆方向になるように反射させる球面であるようにしてもよい。
本発明の光源装置によれば、高圧水銀ランプ、メタルハライドランプ、又は、キセノンランプから出射する無偏光光は、紫外領域の光を含むが、反射型偏光素子の反射面は球面であるため、ダメージ等が大きくなる第二焦点に反射型偏光素子を配置する必要がないので、反射型偏光素子へのダメージ等の問題を防止することができる。
【００１２】
さらに、上記の発明において、前記反射型偏光素子の反射面は、平面であるとともに、前記楕円面反射鏡から反射型偏光素子へ向かう光を、前記平面と垂直になるように透過させる球面を有する光学レンズを備えるようにしてもよい。
本発明の光源装置によれば、高圧水銀ランプ、メタルハライドランプ、又は、キセノンランプから出射する無偏光光は、紫外領域の光を含むが、球面を有する光学レンズを備えるため、ダメージ等が大きくなる第二焦点に反射型偏光素子を配置する必要がないので、反射型偏光素子へのダメージ等の問題を防止することができる。
【発明を実施するための最良の形態】
【００１３】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００１４】
（第１の実施の形態）
図１は、本発明の一実施形態である第１の実施の形態の光源装置の構成を示す断面図である。図２は、図１に示す光源装置のＡの部分拡大断面図である。光源装置１０は、高圧水銀ランプ１と、楕円面反射鏡２と、１／４波長板４と、反射型偏光素子５と、球面反射鏡６とを備える。
【００１５】
楕円面反射鏡２は、内面から反射層２ｃと、吸収層２ｂと、基体２ａとをこの順に積層された半楕円球状体である。また、楕円面反射鏡２では、第一焦点Ｘ１と、第一焦点Ｘ１に配置された高圧水銀ランプ１からの光を反射させることにより光が集束する第二焦点Ｘ２とが規定される。
上記基体の材料としては、放熱効果がよく、かつ、反射効率のよい鏡面を加工することが容易な金属等、例えばアルミニウム、銅等が挙げられる。
上記吸収層は、クロム層又は酸化クロム層であり、その厚さは、０.１μｍ以上１００μｍ以下であることが好ましい。
上記反射層は、酸化ケイ素層と酸化チタン層とが交互に積層されたものであり、例えば、各々の層の厚さを、０．１μｍとし、全体の層の厚さを、２μｍとすることが好ましい。
【００１６】
球面反射鏡６は、円形状の窓孔６ａを有する筒状体である。また、球面反射鏡６では、高圧水銀ランプ１からの光を反射させることにより光が高圧水銀ランプ１に戻る第三焦点Ｘ３が規定される。なお、球面反射鏡６は、第三焦点Ｘ３と第一焦点Ｘ１とが同一の位置となるように配置されている。
上記球面反射鏡の材料としては、放熱効果がよく、かつ、反射効率のよい鏡面を加工することが容易な金属等、例えばアルミニウムアルミニウム、銅等が挙げられる。
【００１７】
高圧水銀ランプ１は、高輝度な無偏光光Ｒを発光する。なお、高圧水銀ランプ１と第三焦点Ｘ３と第一焦点Ｘ１とが同一の位置となるように配置されている。
【００１８】
反射型偏光素子５は、平面を有する板状体であり、互いに直交する直線偏光光のうち、ｐ偏光光（直線偏光光）を透過させるとともに、ｓ偏光光（直線偏光光）を反射光として反射させるものである。なお、反射型偏光素子５は、第二焦点Ｘ２に、配置されている。
上記反射型偏光素子としては、例えば、ガラス基板上に、幅が約６５ｎｍ、高さが１００〜２００ｎｍ、そしてピッチが１４０ｎｍ程度であるＡｌの微細なグリッドが形成されたものや、ポリエステル系の多層構造の樹脂フィルムをアクリル系の粘着剤を介してガラス基板等に貼り合わせたもの等が挙げられる。
【００１９】
１／４波長板４は、位相差板である。なお、１／４波長板４は、楕円面反射鏡２と反射型偏光素子５との間に、配置されている。このとき、反射型偏光素子５から入射するｓ偏光光の振動方向と４５度の角度となるように、光学軸は配置されている。これにより、反射型偏光素子５から入射するｓ偏光光を円偏光光に変換する。また、楕円面反射鏡２から入射する円偏光光をｐ偏光光に変換する。
上記１／４波長板としては、例えば、カルサイト（ｃａｌｃｉｔｅ）や水晶等の結晶材料や、延伸した透明なＰＶＡ膜をＴＡＣ膜等で挟んだフィルムタイプのもの等が挙げられる。
【００２０】
次に、光源装置１０の偏光変換について説明する。
まず、高圧水銀ランプ１から無偏光光Ｒが出射される。高圧水銀ランプ１から出射された無偏光光Ｒは、楕円面反射鏡２で反射して、第二焦点Ｘ２に集束する集束光となる。一方、球面反射鏡６で反射した無偏光光Ｒも、高圧水銀ランプ１を通過することにより、楕円面反射鏡２で反射して、第二焦点Ｘ２に集束する集束光となる。このとき、反射層２ｃで紫外領域の光を吸収するとともに、可視光領域の光を反射する。また、吸収層２ｂで赤外領域の光を吸収し、かつ、吸収層２ｂで発生した熱を基体２ａに伝導させることにより、放熱する。
【００２１】
次に、無偏光光Ｒは、１／４波長板４を通過して、第二焦点Ｘ２に配置された反射型偏光素子５に入射する。反射型偏光素子５に入射した無偏光光Ｒのうち、ｐ偏光光Ｐ１は反射型偏光素子５を透過する。一方、ｓ偏光光Ｓは反射型偏光素子５で反射する。このとき、ｓ偏光光Ｓは、反射型偏光素子５の平面で反射することにより、第二焦点Ｘ２から楕円面反射鏡２へ進行することになる。
【００２２】
次に、楕円面反射鏡２へ進行するｓ偏光光Ｓは、１／４波長板４に入射する。１／４波長板４に入射したｓ偏光光Ｓは、円偏光光Ｃに変換される。これにより、円偏光光Ｃが、楕円面反射鏡２へ進行することになる。
次に、楕円面反射鏡２に達した円偏光光Ｃは、楕円面反射鏡２で反射することにより、第一焦点Ｘ１に配置された高圧水銀ランプ１に集束する集束光となる。その後、円偏光光Ｃは、高圧水銀ランプ１を通過して、球面反射鏡６で反射することにより、第三焦点Ｘ３に配置された高圧水銀ランプ１に戻る。
【００２３】
次に、高圧水銀ランプ１を再び通過した円偏光光Ｃは、楕円面反射鏡２で再び反射して、第二焦点Ｘ２に集束する集束光と再びなる。よって、円偏光光Ｃは、１／４波長板４に入射する。１／４波長板４に入射した円偏光光Ｃは、ｐ偏光光Ｐ２に変換される。これにより、ｐ偏光光Ｐ２が、反射型偏光素子５へ進行することになる。
次に、反射型偏光素子５に達したｐ偏光光Ｐ２は、反射型偏光素子５を今度は透過する。
【００２４】
以上のように、光源装置１０によれば、無偏光光Ｒの全てをｐ偏光光Ｐ１、Ｐ２と統一するため、無偏光光Ｒの全てを利用することができる。しかも、偏光ビームスプリッタのような高度な接合技術を要する光学素子も用いていない。さらに、高圧水銀ランプ１から出射する無偏光光Ｒを用いるため、高輝度な無偏光光Ｒを効率よく利用することができる。
【００２５】
なお、無偏光光の全てをｐ偏光光と統一するような構成としたが、ｓ偏光光と統一するような構成としてもよい。また、球面反射鏡も、楕円面反射鏡と同様に、内面から反射層と、吸収層と、基体とをこの順に積層されたものとしてもよい。さらに、楕円面反射鏡は、内面から反射層と吸収層と基体とをこの順に積層された半楕円球状体とするような構成としたが、基体のみを有する構成とするとともに、赤外領域の光及び紫外領域の光をカットする機能を有する光学レンズを備える構成としてもよい。
【００２６】
（第２の実施の形態）
図３は、本発明の一実施形態である第２の実施の形態の光源装置の構成を示す断面図である。なお、第１の実施の形態と同じ構成については、同じ符号を用いるとともに、説明することを省略する。光源装置２０は、高圧水銀ランプ１と、楕円面反射鏡２２と、１／４波長板４と、反射型偏光素子２５と、球面反射鏡６とを備える。つまり、第２の実施の形態は、第１の実施の形態と、楕円面反射鏡及び反射型偏光素子を異ならせる。
【００２７】
楕円面反射鏡２２は、第一焦点と、第一焦点に配置された高圧水銀ランプ１からの光を反射させることにより光が集束する第二焦点とが規定される。上記楕円面反射鏡の材料としては、放熱効果がよく、かつ、反射効率のよい鏡面を加工することが容易な金属等、例えばアルミニウムアルミニウム、銅等が挙げられる。
【００２８】
反射型偏光素子２５は、入射方向と逆方向になるように反射させる球面を有する板状体であり、互いに直交する直線偏光光のうち、ｐ偏光光を透過させるとともに、ｓ偏光光を反射光として反射させるものである。なお、反射型偏光素子２５は、第一焦点と第二焦点との間に、第一焦点側に球面が凸状となるように配置されている。
【００２９】
次に、光源装置２０の偏光変換について説明する。
まず、高圧水銀ランプ１から無偏光光Ｒが出射される。高圧水銀ランプ１から出射された無偏光光Ｒは、楕円面反射鏡２２で反射して、第二焦点に集束する集束光となる。一方、球面反射鏡６で反射した無偏光光Ｒも、高圧水銀ランプ１を通過することにより、楕円面反射鏡２２で反射して、第二焦点に集束する集束光となる。
【００３０】
よって、無偏光光Ｒは、１／４波長板４を通過して、反射型偏光素子２５に入射する。反射型偏光素子２５に入射した無偏光光Ｒのうち、ｐ偏光光Ｐ１は反射型偏光素子２５を透過する。一方、ｓ偏光光Ｓは反射型偏光素子２５で反射する。このとき、ｓ偏光光Ｓは、反射型偏光素子２５の球面で反射することにより、入射方向と逆方向になるように楕円面反射鏡２へ進行することになる。
【００３１】
次に、楕円面反射鏡２へ進行するｓ偏光光Ｓは、１／４波長板４に入射する。１／４波長板４に入射したｓ偏光光Ｓは、円偏光光Ｃに変換される。これにより、円偏光光Ｃが、楕円面反射鏡２２へ進行することになる。
次に、楕円面反射鏡２２に達した円偏光光Ｃは、楕円面反射鏡２２で反射することにより、第一焦点に配置された高圧水銀ランプ１に集束する集束光となる。その後、円偏光光Ｃは、高圧水銀ランプ１を通過して、球面反射鏡６で反射することにより、第三焦点に配置された高圧水銀ランプ１に戻る。
【００３２】
次に、高圧水銀ランプ１を再び通過した円偏光光Ｃは、楕円面反射鏡２２で再び反射して、第二焦点に集束する集束光と再びなる。よって、円偏光光Ｃは、１／４波長板４に入射する。１／４波長板４に入射した円偏光光Ｃは、ｐ偏光光Ｐ２に変換される。これにより、ｐ偏光光Ｐ２が、反射型偏光素子２５へ進行することになる。
次に、反射型偏光素子２５に達したｐ偏光光Ｐ２は、反射型偏光素子２５を今度は透過する。
【００３３】
以上のように、光源装置２０によれば、無偏光光Ｒの全てをｐ偏光光Ｐ１、Ｐ２と統一するため、無偏光光Ｒの全てを利用することができる。しかも、偏光ビームスプリッタのような高度な接合技術を要する光学素子も用いていない。さらに、高圧水銀ランプ１から出射する無偏光光Ｒは、紫外領域の光を含むが、反射型偏光素子２５の反射面は球面であるため、ダメージ等が大きくなる第二焦点に反射型偏光素子２５を配置する必要がないので、反射型偏光素子２５へのダメージ等の問題を防止することができる。
また、反射型偏光素子２５は、第一焦点と第二焦点との間に、第一焦点側に球面が凸状となるように配置されているので、高圧水銀ランプ１から反射型偏光素子２５までの距離を短くすることができる。
【００３４】
（第３の実施の形態）
図４は、本発明の一実施形態である第３の実施の形態の光源装置の構成を示す断面図である。なお、第２の実施の形態と同じ構成については、同じ符号を用いるとともに、説明することを省略する。光源装置３０は、高圧水銀ランプ１と、楕円面反射鏡２２と、１／４波長板４と、反射型偏光素子３５と、球面反射鏡６とを備える。つまり、第３の実施の形態は、第２の実施の形態と、反射型偏光素子を異ならせる。
【００３５】
反射型偏光素子３５は、入射方向と逆方向になるように反射させる球面を有する板状体であり、互いに直交する直線偏光光のうち、ｐ偏光光を透過させるとともに、ｓ偏光光を反射光として反射させるものである。なお、反射型偏光素子３５は、第一焦点から第二焦点より遠方に、第一焦点側に球面が凹状となるように配置されている。
【００３６】
以上のように、光源装置３０によれば、無偏光光Ｒの全てをｐ偏光光Ｐ１、Ｐ２と統一するため、無偏光光Ｒの全てを利用することができる。しかも、偏光ビームスプリッタのような高度な接合技術を要する光学素子も用いていない。さらに、高圧水銀ランプ１から出射する無偏光光Ｒは、紫外領域の光を含むが、反射型偏光素子３５の反射面は球面であるため、ダメージ等が大きくなる第二焦点に反射型偏光素子３５を配置する必要がないので、反射型偏光素子３５へのダメージ等の問題を防止することができる。
【００３７】
（第４の実施の形態）
図５は、本発明の一実施形態である第４の実施の形態の光源装置の構成を示す断面図である。なお、第１の実施の形態と同じ構成については、同じ符号を用いるとともに、説明することを省略する。光源装置４０は、高圧水銀ランプ１と、楕円面反射鏡２と、１／４波長板４と、反射型偏光素子５と、球面反射鏡６と、光学レンズ７とを備える。つまり、第４の実施の形態は、第１の実施の形態と、光学レンズ７を備えることが異なる。
【００３８】
光学レンズ７は、楕円面反射鏡６から反射型偏光素子５へ向かう光を、反射型偏光素子５の反射面である平面と垂直になるように透過させる負の光学パワーを有するものである。なお、光学レンズ７は、第一焦点と第二焦点との間に、配置されている。
【００３９】
次に、光源装置４０の偏光変換について説明する。
まず、高圧水銀ランプ１から無偏光光Ｒが出射される。高圧水銀ランプ１から出射された無偏光光Ｒは、楕円面反射鏡２で反射して、第二焦点に集束する集束光となる。一方、球面反射鏡６で反射した無偏光光Ｒも、高圧水銀ランプ１を通過することにより、楕円面反射鏡２で反射して、第二焦点に集束する集束光となる。
【００４０】
よって、無偏光光Ｒは、光学レンズ７を透過して、１／４波長板４に入射する。このとき、光学レンズ７は、楕円面反射鏡６から反射型偏光素子５へ向かう無偏光光Ｒを、反射型偏光素子５の反射面である平面と垂直になるように透過させる。
【００４１】
次に、無偏光光Ｒは、１／４波長板４を通過して、反射型偏光素子５に入射する。反射型偏光素子５に入射した無偏光光Ｒのうち、ｐ偏光光Ｐ１は反射型偏光素子５を透過する。一方、ｓ偏光光Ｓは反射型偏光素子５で反射する。このとき、ｓ偏光光Ｓは、反射型偏光素子５の平面で反射することにより、入射方向と逆方向になるように楕円面反射鏡２へ進行することになる。
【００４２】
次に、楕円面反射鏡２へ進行するｓ偏光光Ｓは、１／４波長板４に入射する。１／４波長板４に入射したｓ偏光光Ｓは、円偏光光Ｃに変換される。これにより、円偏光光Ｃが、楕円面反射鏡２へ進行することになる。
次に、楕円面反射鏡２へ進行する円偏光光Ｃは、光学レンズ７を透過する。このとき、光学レンズ７は、反射型偏光素子５から楕円面反射鏡２へ向かう円偏光光Ｃを、第二焦点から出射したかのように進行方向を変化させて透過させる。
次に、楕円面反射鏡２に達した円偏光光Ｃは、楕円面反射鏡２で反射することにより、第一焦点に配置された高圧水銀ランプ１に集束する集束光となる。その後、円偏光光Ｃは、高圧水銀ランプ１を通過して、球面反射鏡６で反射することにより、第三焦点に配置された高圧水銀ランプ１に戻る。
【００４３】
次に、高圧水銀ランプ１を再び通過した円偏光光Ｃは、楕円面反射鏡２で再び反射して、第二焦点に集束する集束光と再びなる。
よって、円偏光光Ｃは、光学レンズ７を透過して、１／４波長板４に入射する。このとき、光学レンズ７は、楕円面反射鏡６から反射型偏光素子５へ向かう円偏光光Ｃを、反射型偏光素子５の反射面である平面と垂直になるように透過させる。
次に、円偏光光Ｃは、１／４波長板４に入射する。１／４波長板４に入射した円偏光光Ｃは、ｐ偏光光Ｐ２に変換される。これにより、ｐ偏光光Ｐ２が、反射型偏光素子５へ進行することになる。
次に、反射型偏光素子５に達したｐ偏光光Ｐ２は、反射型偏光素子５を今度は透過する。
【００４４】
以上のように、光源装置４０によれば、無偏光光Ｒの全てをｐ偏光光Ｐ１、Ｐ２と統一するため、無偏光光Ｒの全てを利用することができる。しかも、偏光ビームスプリッタのような高度な接合技術を要する光学素子も用いていない。さらに、高圧水銀ランプ１から出射する無偏光光Ｒは、紫外領域の光を含むが、球面を有する光学レンズ７を備えるため、ダメージ等が大きくなる第二焦点に反射型偏光素子５を配置する必要がないので、反射型偏光素子５へのダメージ等の問題を防止することができる。
また、光学レンズ７は、第一焦点と第二焦点との間に、配置されているので、高圧水銀ランプ１から反射型偏光素子５までの距離を短くすることができる。
【００４５】
（第５の実施の形態）
図６は、本発明の一実施形態である第５の実施の形態の光源装置の構成を示す断面図である。なお、第４の実施の形態と同じ構成については、同じ符号を用いるとともに、説明することを省略する。光源装置５０は、高圧水銀ランプ１と、楕円面反射鏡２と、１／４波長板４と、反射型偏光素子３５と、球面反射鏡６と、光学レンズ８とを備える。つまり、第５の実施の形態は、第４の実施の形態と、光学レンズを異ならせる。
【００４６】
光学レンズ８は、楕円面反射鏡６から反射型偏光素子５へ向かう光を、反射型偏光素子５の反射面である平面と垂直になるように透過させる正の光学パワーを有するものである。なお、光学レンズ８は、第一焦点から第二焦点より遠方に、配置されている。
【００４７】
以上のように、光源装置５０によれば、無偏光光Ｒの全てをｐ偏光光Ｐ１、Ｐ２と統一するため、無偏光光Ｒの全てを利用することができる。しかも、偏光ビームスプリッタのような高度な接合技術を要する光学素子も用いていない。さらに、高圧水銀ランプ１から出射する無偏光光Ｒは、紫外領域の光を含むが、球面を有する光学レンズ８を備えるため、ダメージ等が大きくなる第二焦点に反射型偏光素子５を配置する必要がないので、反射型偏光素子５へのダメージ等の問題を防止することができる。
【産業上の利用可能性】
【００４８】
本発明の光源装置は、照明装置等に適用される。特に、画像投影等のプロジェクターの光源として、適用される。
【図面の簡単な説明】
【００４９】
【図１】本発明の一実施形態である第１の実施の形態の光源装置の構成を示す断面図である。
【図２】図１に示す光源装置のＡの部分拡大断面図である。
【図３】本発明の一実施形態である第２の実施の形態の光源装置の構成を示す断面図である。
【図４】本発明の一実施形態である第３の実施の形態の光源装置の構成を示す断面図である。
【図５】本発明の一実施形態である第４の実施の形態の光源装置の構成を示す断面図である。
【図６】本発明の一実施形態である第５の実施の形態の光源装置の構成を示す断面図である。
【符号の説明】
【００５０】
１  光源部
２、２２  楕円面反射鏡
４  １／４波長板
５、２５、３５  反射型偏光素子
６  球面反射鏡
１０、２０、３０、４０、５０  光源装置
【図１】
0005236871.tif 000002
【図２】
0005236871.tif 000003
【図３】
0005236871.tif 000004
【図４】
0005236871.tif 000005
【図５】
0005236871.tif 000006
【図６】
0005236871.tif 000007